(57)【要約】【課題】コイルばねのばね定数を変更すること無く、圧力水の圧力勾配を変更可能にする。【解決手段】駆動アーム１３、プランジャーアーム１４、コイルばね２３の取付けアーム１５は回転軸１２に固定される。コイルばね２３の一端を保持する保持具２４は取付けアーム１５にボルト２５により固定され、他端を保持するロッド２８はブラケット２９にナット３０、３１により固定される。コイルばね２３はボルト２５を緩めることにより取付けアーム１５の目盛Ｓ１〜Ｓ４の各取付け位置に変更することができる。目盛Ｓ３までの長さＬ３、目盛Ｓ１、Ｓ２、Ｓ４までの各長さが異なるため、コイルばね２３の取付け位置によりプランジャー１０に掛かる力の変化量、即ち、圧力水の圧力勾配が変わる。目盛Ｓ１〜Ｓ４の位置を選択してコイルばね２３を取付けることにより、ばね定数を変更すること無く、緯入れノズル５に供給する圧力水の圧力勾配を変更することができる。【選択図】図１
2016020547.tif 000002
【特許請求の範囲】
【請求項１】
水槽及び緯入れノズルに水路により接続したポンプを備え、前記ポンプのプランジャーを駆動部材により往動方向へ駆動して前記水槽の水を吸入し、コイルばねの蓄勢された力により前記プランジャーを復動方向へ駆動して圧力水を前記緯入れノズルに供給し、前記緯入れノズルから噴射される圧力水により緯入れを行う水噴射式織機における水噴射装置において、
前記駆動部材に連結する駆動アーム、前記プランジャーに連結するプランジャーアーム及び前記コイルばねの取付けアームを同一の軸心に対して一体回転可能に設け、前記軸心から前記コイルばねの作用点までの長さを変更して前記緯入れノズルから噴射される圧力水の圧力勾配を変更することを特徴とする水噴射式織機における水噴射装置。
【請求項２】
前記軸心から前記コイルばねの作用点までの長さの変更は、前記コイルばねの作用点を前記取付けアームの長手方向に移動可能に設けた構成であることを特徴とする請求項１に記載の水噴射式織機における水噴射装置。
【請求項３】
前記取付けアームにおける前記コイルばねの取付け面を円弧面で形成したことを特徴とする請求項２に記載の水噴射式織機における水噴射装置。
【請求項４】
前記取付けアームには、前記コイルばねの取付け位置を示す複数の目盛を形成したことを特徴とする請求項２又は請求項３に記載の水噴射式織機における水噴射装置。
【請求項５】
前記コイルばねの初期荷重を変更するばね圧調整機構が備えられていることを特徴とする請求項１〜請求項４のいずれか１項に記載の水噴射式織機における水噴射装置。
【請求項６】
前記駆動アーム、前記プランジャーアーム及び前記取付けアームを回転軸に固定した三又アームで構成し、前記駆動部材を最高点から最低点に至る落差を有するカムで構成し、前記コイルばねを引張りばねで構成したことを特徴とする請求項１〜請求項５のいずれか１項に記載の水噴射式織機における水噴射装置。
【発明の詳細な説明】
【技術分野】
【０００１】
本願発明は、緯入れノズルへ圧力水を供給するポンプを備えた水噴射式織機における水噴射装置に関する。
【背景技術】
【０００２】
水噴射式織機においては、緯糸の種類により、緯入れ中の緯糸と圧力水との馴染みの良し悪しが生じる。圧力水と馴染み難い緯糸は、圧力水に保持され難く、緯入れ遅れを生じ易いため、緯入れ中の圧力水の圧力勾配を小さくし、圧力水の高い圧力状態を持続して緯入れする必要がある。逆に、圧力水と馴染み易い緯糸は、圧力水に保持され易いため、圧力勾配が小さい場合、緯糸切れを生じ易くなるため、圧力勾配を大きくして緯入れ中の緯糸に対する圧力を早期に弱める必要がある。
【０００３】
水噴射式織機では、水噴射装置のポンプから緯入れノズルへ供給された圧力水の水圧が、緯入れ中に、初期の最高水圧から徐々に低下し、この低下する割合が圧力勾配である。圧力勾配は、コイルばねのばね定数をポンプのプランジャーの断面積で割った値に依存する。このため、従来、圧力水の圧力勾配を変更する手段としては、水噴射装置にばね定数の異なる複数のコイルばねを準備し、使用する緯糸に応じてばね定数の異なるコイルばねを都度交換する方法が一般的である。また、例えば、特許文献１のように、水噴射式織機の圧力水供給装置に設けた引張りコイルばねに、ばね定数変更装置を設け、コイルばねを交換すること無く、ばね定数を変更する方法がある。
【０００４】
特許文献１の圧力水供給装置には、固定軸を中心に回転可能な三又レバー、プランジャーポンプ、ポンプ駆動カム及び引張りコイルばねが設けられている。三又レバーの第１の腕はコネクティングロッドを介してプランジャーポンプのプランジャーに連結され、第２の腕は先端に設けたカムフォロワーによりポンプ駆動カムに連結し、第３の腕は引張りコイルばねに連結している。引張りコイルばねの一端は第３の腕にピンにより取付けられた保持具の螺合部に螺合され、引張りコイルばねの他端はボルトの螺合部に螺合されている。引張りばねの他端に螺合するボルトは、織機のフレームから突出するステーを貫通し、２つのナットによりステーに固定されている。
【０００５】
ボルトの螺合部は、ナットを弛めてボルトを右又は左に回転し、引張りコイルばねに対するねじ込み位置を変えることにより引張りコイルばねの有効長さを変え、引張りコイルばねのばね定数を変更することができる。従って、引張りコイルばねの他端に螺合するボルトの螺合部は、ばね定数変更装置を構成している。また、ナットを弛めてボルトを上下に移動してステーに対するボルトの固定位置を変更し、引張りコイルばねの初期荷重を変更することができる。
【０００６】
特許文献１の圧力水供給装置は、ボルトの回転により、ボルトの螺合部と引張りコイルばねとの螺合位置を変更し、引張りコイルばねのばね定数を変更することができる。従って、特許文献１の圧力水供給装置では、ばね定数変更装置を備えることにより、引張りコイルばねを交換すること無く、緯糸の種類に応じた送給水圧特性（圧力勾配に相当する）を有する圧力水により緯入れを行うことができる。
【先行技術文献】
【特許文献】
【０００７】
【特許文献１】実開昭６３−８５６８３号公報
【発明の概要】
【発明が解決しようとする課題】
【０００８】
従来一般的に行われているばね定数変更手段は、ばね定数の異なるコイルばねを多数準備しておかなければならず、予備のコイルばねの保管スペースが必要となり、また、コイルばねの保管管理に大きな労力を費やす必要がある。
【０００９】
特許文献１は、圧力水供給装置に大掛かりなばね定数変更装置を設置しなければならず、構造が複雑化し、ばね定数変更作業に大きな労力を必要とする。また、引張りコイルばねは、ばね定数変更装置を構成するボルトの頭部に形成した螺合部との螺合により保持する構成であるため、ばね定数変更装置の使用に伴い、水噴射式織機の運転中の負荷により、引張りコイルばねと螺合部との結合が緩んで螺合位置にずれが生じ、設定したばね定数に変化を及ぼす恐れがある。
【００１０】
本願発明は、コイルばねのばね定数を変更すること無く、圧力水の圧力勾配を変更可能にすることを目的とする。
【課題を解決するための手段】
【００１１】
請求項１は、水槽及び緯入れノズルに水路により接続したポンプを備え、前記ポンプのプランジャーを駆動部材により往動方向へ駆動して前記水槽の水を吸入し、コイルばねの蓄勢された力により前記プランジャーを復動方向へ駆動して圧力水を前記緯入れノズルに供給し、前記緯入れノズルから噴射される圧力水により緯入れを行う水噴射式織機における水噴射装置において、
前記駆動部材に連結する駆動アーム、前記プランジャーに連結するプランジャーアーム及び前記コイルばねの取付けアームを同一の軸心に対して一体回転可能に設け、前記軸心から前記コイルばねの作用点までの長さを変更して前記緯入れノズルから噴射される圧力水の圧力勾配を変更することを特徴とする。
【００１２】
請求項１によれば、軸心から前記コイルばねの作用点までの長さを変更することにより、ポンプから緯入れノズルへ供給する圧力水の圧力勾配を異なる状態に簡単に設定することができる。この結果、使用する緯糸の種類に合わせて最適な圧力勾配を簡単に設定し、緯糸を最適な圧力勾配を有する圧力水の噴射により緯入れすることができる。
【００１３】
請求項２は、前記軸心から前記コイルばねの作用点までの長さの変更は、前記コイルばねの作用点を前記取付けアームの長手方向に移動可能に設けた構成であることを特徴とする。請求項２によれば、取付けアームに対するコイルばねの取付け位置を変更し、取付けアームの軸心からコイルばねの作用点までの長さを変更することができる。従って、圧力水の圧力勾配の変更が簡単である。
【００１４】
請求項３は、前記取付けアームにおける前記コイルばねの取付け面を円弧面で形成したことを特徴とする。請求項３によれば、コイルばねの取付け位置を変えてもコイルばねの特性が変わらないため、コイルばねの位置調整が容易であり、圧力勾配の変更を簡単かつ正確に行うことができる。
【００１５】
請求項４は、前記取付けアームには、前記コイルばねの取付け位置を示す複数の目盛を形成したことを特徴とする。請求項４によれば、複数の圧力勾配に対応した複数の目盛を取付けアームに形成しておくことにより、コイルばねの取付け位置の調整を容易に行うことができる。
【００１６】
請求項５は、前記コイルばねの初期荷重を変更するばね圧調整機構が備えられていることを特徴とする。請求項５によれば、噴射する圧力水の最高水圧を簡単に変更することができ、緯糸や織幅に適した最高水圧を容易に得ることができる。
【００１７】
請求項６は、前記駆動アーム、前記プランジャーアーム及び前記取付けアームを回転軸に固定した三又アームで構成し、前記駆動部材を最高点から最低点に至る落差を有するカムで構成し、前記コイルばねを引張りばねで構成したことを特徴とする。請求項６によれば、圧力水の圧力勾配を簡単に設定できる水噴射装置を最も簡単な構成で実現することができる。
【発明の効果】
【００１８】
本願発明は、コイルばねのばね定数を変更すること無く、圧力水の圧力勾配を変更することができる。
【図面の簡単な説明】
【００１９】
【図１】第１の実施形態を示す水噴射装置の概略図である。
【図２】プランジャーの往動時を示す水噴射装置の概略図である。
【図３】圧力勾配を変更した水噴射装置の概略図である。
【図４】コイルばねの初期荷重を変更した水噴射装置の概略図である。
【図５】圧力水の特性図を示し、（Ａ）は圧力水の圧力勾配を示す特性図、（Ｂ）はコイルばねの初期荷重を変更した時の特性図である。
【図６】第２の実施形態を示す水噴射装置の概略図である。
【発明を実施するための形態】
【００２０】
（第１の実施形態）
第１の実施形態を図１〜図５に基づいて説明する。図１は、水噴射式織機における水噴射装置１を示す。水噴射装置１の一部を構成するポンプ２は、水槽３と水路４で接続され、緯入れノズル５と水路６により接続されている。水路４と接続するポンプ２の入り口側には、逆止弁７が配設され、水路６と接続するポンプ２の出口側には、逆止弁８が配設され、逆止弁７、８は流路９により接続されている。ポンプ２のプランジャー１０が摺動するシリンダー１１は、流路９と交差する方向で接続されている。
【００２１】
一方、ポンプ２の近辺に配設された回転軸１２には、駆動アーム１３、プランジャーアーム１４及び取付けアーム１５からなる三又アーム１６が固定されている。三又アーム１６は、回転軸１２の軸心を中心に時計回りの方向及び反時計回りの方向に一体回転することができる。なお、本願明細書では、後述するプランジャー１０の移動方向を示すために、三又アーム１６の反時計回りの方向を往動方向とし、時計回りの方向を復動方向として説明する。
【００２２】
駆動アーム１３は、駆動アーム１３の先端に設けたカムフォロワー１７を介して駆動部材としてのカム１８に連結する。カム１８は、カム面の最高点１８Ａと最低点１８Ｂとの間に落差Ｈを有するように形成されている。カム１８は、例えば、モータ等の駆動手段（図示せず）により、矢印で示す時計回りの方向に回転され、カムフォロワー１７を介して駆動アーム１３を往動方向及び復動方向に回転することができる。
【００２３】
駆動アーム１３の先端には、駆動アーム１３と反対の方向に突出するレバー１９が設けられている。レバー１９は、ストッパー２０と対向する位置にまで突出し、ストッパー２０と当接可能である。ストッパー２０は、駆動アーム１３の復動方向に配置され、図示しないフレームに固定されたブラケット２１に、突出位置の調節可能に設けられている。ストッパー２０の突出位置の調整は、レバー１９の復動方向への回転量、即ち、駆動アーム１３の復動方向への回転量を調整できる。また、ストッパー２０は、ダンパーの役割もしている。
【００２４】
プランジャーアーム１４の先端は、連結レバー２２の一端と回転可能に連結され、連結レバー２２の他端はプランジャー１０と連結されている。従って、駆動アーム１３がカム１８により往動方向に回転されると、プランジャーアーム１４は連結レバー２２を介してプランジャー１０を往動（図１の右方向）することができる。プランジャー１０は、往動によりシリンダー１１及び流路９内を負圧にして逆止弁７を開き、水槽３の水を流路９及びシリンダー１１内に吸入することができる（図２参照）。
【００２５】
駆動アーム１３において、回転軸１２の軸心からカム１８の駆動力を受けるカムフォロワー１７の中心までの長さをＬ１とする。プランジャーアーム１４において、回転軸１２の軸心からプランジャーアーム１４と連結レバー２２との連結中心までの長さをＬ２とする。本実施形態では、駆動アーム１３の長さＬ１とプランジャーアーム１４の長さＬ２とが同一長さとなるように設定されている。なお、他の例として、長さＬ１と長さＬ２とを異なる長さに設定しても構わない。
【００２６】
取付けアーム１５には、コイルばね２３の一端を保持する保持具２４が取付けられている。保持具２４を取付ける取付けアーム１５の取付け面１５Ａは、コイルばね２３とロッド２８との固定部を曲率半径の中心とする円弧面で形成されている。従って、後述する保持具２４の取付け位置の調整を行っても、コイルばね２３の特性は一定に保たれる。保持具２４は、ボルト２５を弛めることにより取付けアーム１５の長手方向に移動して取付け位置を変更することができ、変更した位置でボルト２５を締めることにより、保持具２４を取付けアーム１５に固定することができる。また、取付けアーム１５には、保持具２４の取付け位置を設定し易いように、保持具２４の取付け位置を示す目盛Ｓ１、Ｓ２、Ｓ３、Ｓ４が形成されている。目盛Ｓ１、Ｓ２、Ｓ３、Ｓ４は、線状の刻印で形成されている。また、図１では、保持具２４は目盛Ｓ３の位置に取付けられている。
【００２７】
コイルばね２３は、所定のばね定数を有する引張りばねで構成されている。コイルばね２３の一端は、保持具２４にねじ２６で遊転可能に取付けられた保持部材２７にねじ込みの形態で固定されている。コイルばね２３の他端は、ねじを切ったロッド２８の頭部にねじ込みの形態で固定されている。ロッド２８は、フレーム（図示せず）に回転可能に取付けたブラケット２９を貫通し、固定用の２つのナット３０と緩み止め用のナット３１によりブラケット２９に固定されている。ロッド２８は、ナット３０、３１を緩めることによりロッド２８の長手方向に固定位置を変更し、コイルばね２３の初期荷重を変更することができる。従って、ロッド２８、ナット３０、３１は、コイルばね２３の初期荷重を変更するためのばね圧調整機構を構成している。
【００２８】
コイルばね２３は、図２に示すように、カム１８の回転により取付けアーム１５が往動方向に回転されると、引き伸ばされて力を蓄勢する。カムフォロワー１７がカム１８の最高点１８Ａを過ぎると、取付けアーム１５及びプランジャーアーム１４は、コイルばね２３の蓄勢された力により復動方向に回転され、プランジャー１０を復動する。プランジャー１０はシリンダー１１内の水を加圧するため、シリンダー１１内の圧力水が逆止弁８を開いて水路６に流れ、緯入れノズル５へ供給される。
【００２９】
取付けアーム１５に取付けたコイルばね２３とプランジャーアーム１４に連結したプランジャー１０との関係を以下に説明する。コイルばね２３の蓄勢された力は、プランジャー１０に掛かる力となり、シリンダー１１内の水を加圧する。蓄勢された力は、コイルばね２３の復元に伴い減少するため、緯入れノズル５から噴射される圧力水の水圧は、コイルばね２３の初期荷重による最高水圧から一定の割合で減圧する。この減圧割合を、圧力水の圧力勾配と称する。
【００３０】
緯入れノズル５から噴射される圧力水の圧力勾配は、緯糸の搬送に大きく影響し、緯糸の種類に応じて適切な圧力勾配に設定する必要がある。従来、一般的には、コイルばねのばね定数を変更することにより、使用する緯糸に対応する圧力勾配を得ていた。本実施形態では、ばね定数を変更すること無く、圧力勾配を変更できるように構成しており、本実施形態における圧力勾配の設定について以下に説明する。
【００３１】
カムフォロワー１７がカム１８の最低点１８Ｂから最高点１８Ａに至る落差Ｈだけ移動する時、コイルばね２３の引張り方向への変位Ａは式（１）で表される。なお、回転軸１２の軸心から取付けアーム１５上のコイルばね２３の作用点Ｘ１までの長さをＬ３とする。
式（１）    Ａ＝Ｌ３／Ｌ２×Ｈ
【００３２】
コイルばね２３で蓄勢される力Ｆの増加量ΔＦは式（２）で表される。なお、ｋはコイルばね２３のばね定数であり、ΔＡは変位Ａの増加量である。
式（２）    ΔＦ＝ΔＡ×ｋ
【００３３】
式（２）に式（１）を導入すると、式（３）となる。なお、ΔＨはカムフォロワー１７の復動変位増加量である。
式（３）    ΔＦ＝Ｌ３／Ｌ２×ΔＨ×ｋ＝（Ｌ３／Ｌ２×ｋ）ΔＨ
【００３４】
コイルばね２３で蓄勢される力Ｆとプランジャー１０に掛かる力Ｐとの回転軸１２に対するモーメントの関係は、式（４）となる。
式（４）    Ｆ×Ｌ３＝Ｐ×Ｌ２
【００３５】
式（４）から、プランジャー１０に掛かる力Ｐにおける変化量ΔＰは、式（５）で表される。
式（５）    ΔＰ＝Ｌ３／Ｌ２×ΔＦ
【００３６】
式（５）に式（３）を導入すると、式（６）となる。
式（６）    ΔＰ＝Ｌ３／Ｌ２（Ｌ３／Ｌ２×ｋ）ΔＨ＝（Ｌ３／Ｌ２）２×ｋ×ΔＨ
【００３７】
プランジャー１０に掛かる力Ｐにおける変化量ΔＰは、緯入れノズル５から噴射される圧力水の圧力勾配に相当し、式（６）から明らかなように、プランジャーアーム１４の長さＬ２と取付けアーム１５におけるコイルばね２３の作用点Ｘ１の長さＬ３との比の２乗に依存し、カムフォロワー１７の復動変位増加量ΔＨに比例する。従って、プランジャー１０に掛かる力Ｐの変化量ΔＰ、即ち、圧力水の圧力勾配は、長さＬ２は変化しないので、長さＬ３の変更、即ち、コイルばね２３の取付け位置を変えることにより変更することができる。
【００３８】
回転軸１２の軸心から目盛Ｓ１〜Ｓ４までの長さは、順次増大する距離にある。図１に示したコイルばね２３の取付け位置である目盛Ｓ３におけるコイルばね２３の作用点Ｘ１までの長さＬ３は、回転軸１２の軸心から比較的離れた位置である。比較のために、図３に示したコイルばね２３は、目盛Ｓ１の位置に取付けられている。回転軸１２の軸心からコイルばね２３の作用点Ｘ２までの長さＬ５は、目盛Ｓ１〜Ｓ４に対応する取付け位置の中で最も短い距離にある。従って、コイルばね２３の取付け位置の変更は、回転軸１２の軸心からコイルばね２３の作用点までの長さを目盛Ｓ１〜Ｓ４の間で変更することが可能である。
【００３９】
図１及び図３に示したコイルばね２３の取付け位置の違いによる圧力水の特性図を図５（Ａ）に示している。図１のように、目盛Ｓ３の位置に取付けたコイルばね２３は、ＰＳ１で示した圧力勾配となる。プランジャー１０が緯入れ開始時期である時間Ｔ１で復動を開始すると、ポンプ２から緯入れノズル５へ供給される圧力水は、水圧が急激に上昇し、時間Ｔ２で最高水圧Ｐ１に達し、その後、目盛Ｓ３の位置に対応する圧力勾配ＰＳ１で水圧が低下して水圧Ｐ２となり、時間Ｔ３で水圧が零となる。時間Ｔ３は、プランジャー１０の復動が終了し、緯入れが終了した時期である。
【００４０】
図３のように、目盛Ｓ１の位置に取付けたコイルばね２３では、長さＬ５が図１のコイルばね２３の長さＬ３より小さく、長さＬ２との比が小さくなる。このため、コイルばね２３の変位量ΔＡが小さく、プランジャー１０に掛かる力Ｐの変化量ΔＰが小さくなり、ＰＳ２で示した圧力勾配のように、圧力勾配ＰＳ１より小さな変化となる。図３のコイルばね２３では、時間Ｔ１で緯入れが開始されると、圧力水は、時間Ｔ２で図１のコイルばね２３と同じ最高水圧Ｐ１となるが、その後、水圧が大きく低下せずに水圧Ｐ３となり、時間Ｔ４で緯入れを終了する。
【００４１】
圧力勾配ＰＳ２では、水圧が大きく低下しないため、緯糸に対する牽引力を高い状態に保つことが可能となり、圧力水に馴染み難い緯糸に対して有効である。逆に、圧力勾配ＰＳ１では、水圧が最高水圧Ｐ１から早く低下するため、緯糸に対する牽引力が早期に弱くなり、圧力水に馴染み易い緯糸に対して有効となる。
【００４２】
図４は、図１に示したコイルばね２３に対して、初期荷重を変更した水噴射装置１を示している。ロッド２８は、固定用のナット３０及び緩み止め用のナット３１を緩めることにより、ブラケット２９に対してロッド２８の長手方向に自由に移動可能となる。図４の例では、ロッド２８は、図１に示した突出長さＬ４と図４に示した突出長さＬ６との差（Ｌ６＜Ｌ４）だけ取付けアーム１５側に移動した位置でナット３０及びナット３１を締め付け、ブラケット２９に固定してある。従って、コイルばね２３は、図１の場合より縮められた状態となり、初期荷重が小さくなるように設定される。
【００４３】
図４のコイルばね２３では、図５（Ｂ）に示すように、時間Ｔ１の緯入れ開始後、緯入れノズル５に供給される圧力水の水圧は、時間Ｔ２において最高水圧Ｐ４となる。最高水圧Ｐ４は、コイルばね２３の初期荷重が小さいため、図１のコイルばねの最高水圧Ｐ１（図５（Ａ）参照）に比して低く設定された状態となる。図４のコイルばね２３は目盛Ｓ３の位置に取付けてあるため、圧力勾配ＰＳ１の変更は無く、圧力水の水圧は比較的大きく低下して水圧Ｐ５に達し、時間Ｔ３で緯入れが終了する。
【００４４】
第１の実施形態では、コイルばね２３の取付け位置を変更し、プランジャーアーム１４の長さＬ２と、回転軸１２の軸心からコイルばね２３の作用点までの長さとの比率を変更するのみで、コイルばね２３のばね定数を変更すること無く、圧力水の圧力勾配を変変更することができる。従って、使用する緯糸に応じて、最適な圧力勾配を簡単に設定することができる。また、コイルばね２３の初期荷重がナット３０、３１の操作のみで、簡単に変更することができ、緯入れノズル５に供給する圧力水の最高水圧を緯糸種類や織幅に合わせて簡単に設定することができる。
【００４５】
（第２の実施形態）
図６は第２の実施形態を示したもので、第１の実施形態と同一の構成については同一の符号を付し、詳細な説明を省略する。第２の実施形態は、コイルばね２３の取付けアーム３２の取付け面３２Ａを平面で形成している。取付けアーム３２には、第１の実施形態と同様に、目盛Ｓ１〜Ｓ４が形成されている。図６では、コイルばね２３の一端を保持する保持具２４が取付けアーム３２の目盛Ｓ３の位置に取付けられている。
【００４６】
コイルばね２３の他端を保持するロッド２８は、フレーム（図示せず）に固定されたブラケット３３に固定用のナット３０及び緩み止め用のナット３１により固定されている。ブラケット３３は、平板で構成され、取付けアーム３２と平行に配置されている。また、ブラケット３３には、長孔３４が穿設され、ロッド２８は長孔３４を貫通してナット３０、３１により固定されている。
【００４７】
取付けアーム３２に対するコイルばね２３の取付け位置の変更は、次のように行われる。保持具２４を固定するボルト２５及びロッド２８を固定するナット３０、３１が緩められる。保持具２４、コイルばね２３及びロッド２８は、共に取付けアーム３２上及びブラケット３３の長孔３４内を移動され、例えば目盛Ｓ１の位置に配置される（コイルばね２３の仮想線参照）。保持具２４が、ボルト２５の締め付けにより目盛Ｓ１の位置に固定される。
【００４８】
ロッド２８は、ブラケット３３からの突出長さを実線で示すコイルばね２３の場合と同一に設定してから、ナット３０、３１の締め付けによりブラケット３３に固定される。なお、ロッド２８の突出長さを設定し易くするため、ロッド２８に目盛（図示せず）等を形成しておくことが好ましい。また、ブラケット３３には、取付けアーム３２の目盛Ｓ１〜Ｓ４と一致する位置に目盛（図示せず）を形成しておくことが好ましい。
【００４９】
第２の実施形態において、コイルばね２３の初期荷重の変更は、ナット３０、３１を緩めた後、ロッド２８を希望の初期荷重が得られる位置まで、ロッド２８の長手方向に移動し、ナット３０、３１を締め付けることにより、簡単に行うことができる。
【００５０】
第２の実施形態は、コイルばね２３を取付けアーム３２に対して平行移動することにより、コイルばね２３の取付け位置の変更を行う構成であるが、コイルばねのばね定数を変えること無く、圧力水の圧力勾配を変更することができる。従って、第２の実施形態は、第１の実施形態と同様の作用効果を得ることができる。
【００５１】
本願発明は、前記した各実施形態の構成に限定されるものではなく、本願発明の趣旨の範囲内で種々の変更が可能であり、次のように実施することができる。
【００５２】
（１）第１及び第２の実施形態は以下のように変更して実施することができる。第１及び第２の実施形態の取付けアーム１５、３２は回転軸１２に対して取り付け、取り外し可能に構成しておく。織布工場には、長さの異なる取付けアーム、即ち緯糸に応じた圧力勾配を生成するために必要な長さを有する取付けアームを種々の緯糸に応じて複数保管しておく。水噴射式織機に使用する緯糸が変更された場合、変更した緯糸に応じた圧力勾配を生成するために必要な長さの取付けアームを古い取付けアームと交換して回転軸１２に固定し、コイルばね２３を取付ける。また、他の変更例として、保管してある複数の取付けアームにそれぞれコイルばね２３を取付けた状態で保管しておき、変更された緯糸に応じた取付けアームをコイルばねとともに交換するように構成することも可能である。
【００５３】
（２）第１及び第２の実施形態において、コイルばね２３は引張りばねに限らず、圧縮ばねを使用した構成としても良い。
（３）第１及び第２の実施形態において、ポンプ２にプランジャー１０の往動により蓄勢される第２のコイルばねを設けた構成としても良い。この例では、コイルばね２３及び第２のコイルばねに蓄勢された力がプランジャー１０に掛かり、第１及び第２の実施形態の場合より水圧の高い圧力水を緯入れノズルへ供給することができる。
【００５４】
（４）第１及び第２の実施形態において、回転軸１２を固定軸とし、三又アーム１６を固定軸に回転可能に取付けるように構成してもよい。
（５）第１及び第２の実施形態に示した目盛Ｓ１〜Ｓ４は、線状の刻印に限らず、色、形状、文字等、他の表示に置き換えても良い。
（６）第１の実施形態において、取付けアーム１５の取付け面１５Ａは、曲率半径の異なる湾曲面に形成しても良い。
（７）第１及び第２の実施形態において、取付けアーム１５、３２は以下のように構成してもよい。取付けアーム１５、３２は２部材で形成され、一方の部材が回転軸１２に固定され、他方の部材が一方の部材に対してスライド可能に装着され、他方の部材にコイルばね２３を取付ける。コイルばね２３は、他方の部材を一方の部材に対してスライドすることにより、回転軸１２の軸心からコイルばね２３の作用点までの長さを変更することができる。
【符号の説明】
【００５５】
１  水噴射装置
２  ポンプ
３  水槽
５  緯入れノズル
１０  プランジャー
１１  シリンダー
１２  回転軸
１３  駆動アーム
１４  プランジャーアーム
１５、３２  取付けアーム
１５Ａ、３２Ａ  取付け面
１６  三又アーム
１８  カム（駆動部材）
２３  コイルばね
２４  保持具
２８  ロッド
２９、３３  ブラケット
３４  長孔
Ｌ１〜Ｌ３、Ｌ５  長さ
Ｐ１、Ｐ４  最高水圧
ＰＳ１、ＰＳ２  圧力勾配
Ｓ１〜Ｓ４  目盛
Ｘ１、Ｘ２  作用点
【図１】
2016020547.tif 000003
【図２】
2016020547.tif 000004
【図３】
2016020547.tif 000005
【図４】
2016020547.tif 000006
【図５】
2016020547.tif 000007
【図６】
2016020547.tif 000008